【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
可変表示の実行条件が成立した後に可変表示の開始条件が成立したことに基づいて、各々が識別可能な複数種類の識別情報を可変表示する可変表示装置と、
開閉部材により開閉される複数の可変入賞口と、
前記可変入賞口への入賞に基づいて、遊技者に遊技価値を付与する価値付与手段と、
前記可変表示装置による識別情報の可変表示の表示結果が予め定めた特定表示結果となったときに、前記可変入賞口を開放状態に制御する特定遊技状態を発生させる特定遊技状態制御手段と、
前記可変表示の開始条件が成立したことに基づいて実行される可変表示の表示結果として前記特定表示結果を表示するか否かを当該表示結果が導出表示される以前に判定する事前判定手段と、
前記可変表示装置にて前記表示結果として表示する識別情報を決定する識別情報決定手段と、
前記事前判定手段により前記特定表示結果を表示する旨の判定がなされたとき、前記識別情報決定手段により決定された識別情報に応じて、前記複数の可変入賞口のうちから、開放状態に制御する可変入賞口を一つ選択決定する可変入賞口選択決定手段と、
を含み、
前記特定遊技状態制御手段は、前記可変入賞口選択決定手段により選択決定された可変入賞口を開放状態に制御する、
ことを特徴とする遊技機。
【請求項２】
可変表示の実行条件が成立した後に可変表示の開始条件が成立したことに基づいて、各々が識別可能な複数種類の識別情報を可変表示する可変表示装置と、
開閉部材により開閉される複数の可変入賞口と、
前記可変入賞口への入賞に基づいて、遊技者に遊技価値を付与する価値付与手段と、
前記可変表示装置による識別情報の可変表示の表示結果が予め定めた特定表示結果となったときに、前記可変入賞口を開放状態に制御する特定遊技状態を発生させる特定遊技状態制御手段と、
前記可変表示の開始条件が成立したことに基づいて実行される可変表示の表示結果として前記特定表示結果を表示するか否かを当該表示結果が導出表示される以前に判定する事前判定手段と、
前記可変表示装置にて前記表示結果として表示する識別情報を決定する識別情報決定手段と、
前記事前判定手段により前記特定表示結果を表示する旨の判定がなされたとき、前記識別情報決定手段により決定された識別情報に応じて、前記複数の可変入賞口それぞれでの開放回数を決定する可変入賞口開放回数決定手段と、
を含み、
前記特定遊技状態制御手段は、前記可変入賞口開放回数決定手段により決定された開放回数だけ各可変入賞口を開放状態に制御する、
ことを特徴とする遊技機。
【請求項３】
前記価値付与手段として、賞球の払い出しを行う払出手段を制御する払出制御手段をさらに含み、
前記払出制御手段は、いずれの可変入賞口に遊技球が入賞したかに応じて、異なる数の賞球を前記払出手段から払い出す制御を行う、
ことを特徴とする請求項１又は２に記載の遊技機。
【請求項４】
前記特定遊技状態制御手段は、開放状態に制御した可変入賞口への入賞個数が、最大入賞個数に達したとき、該開放状態を終了させ、
前記最大入賞個数を示すデータとして、前記可変入賞口毎にそれぞれ異なる個数を示すデータが記憶された記憶手段を含む、
ことを特徴とする請求項１乃至３のいずれか１項に記載の遊技機。
【請求項５】
前記特定遊技状態制御手段は、前記可変入賞口内に設けられた特定領域を遊技球が通過したとき、前記特定遊技状態を継続させる制御を行い、
前記可変入賞口は、前記特定領域に遊技球を誘導可能な流下経路を含み、
前記流下経路は、前記可変入賞口毎にそれぞれ異なる経路構造を有する、
ことを特徴とする請求項１乃至４のいずれか１項に記載の遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、可変表示の実行条件が成立した後に可変表示の開始条件が成立したことに基づいて、各々が識別可能な複数種類の識別情報を可変表示する可変表示装置と、開閉部材により開閉される複数の可変入賞口と、前記可変入賞口への入賞に基づいて、遊技者に遊技価値を付与する価値付与手段と、前記可変表示装置による識別情報の可変表示の表示結果が予め定めた特定表示結果となったときに、前記可変入賞口を開放状態に制御する特定遊技状態を発生させる遊技機に関する。
【手続補正３】
【補正対象書類名】明細書
【補正対象項目名】０００８
【補正方法】変更
【補正の内容】
【０００８】
上記目的を達成するため、本願の請求項１に記載の遊技機は、可変表示の実行条件（例えば普通可変入賞球装置６への入賞によりステップＳ１００にてＹｅｓと判定されたこと）が成立した後に可変表示の開始条件（例えば可変表示装置４における前回の可変表示及び大当り遊技状態が終了したこと）が成立したことに基づいて、各々が識別可能な複数種類の識別情報（例えば特別図柄）を可変表示する可変表示装置（例えば可変表示装置４）と、開閉部材（例えば開閉部材３０ａ、３０ｂなど）により開閉される複数の可変入賞口（例えば第１種特別可変入賞球装置７、第２種特別可変入賞球装置５）と、前記可変入賞口への入賞に基づいて、遊技者に遊技価値を付与する価値付与手段（例えばＣＰＵ１０３がステップＳ３０の賞球処理を実行する部分、払出制御基板１５など）と、前記可変表示装置による識別情報の可変表示の表示結果が予め定めた特定表示結果（例えば表示図柄が同一図柄で揃った表示結果）となったときに、前記可変入賞口を開放状態に制御する特定遊技状態（例えば大当り遊技状態）を発生させる特定遊技状態制御手段（例えばＣＰＵ１０３がステップＳ１１６の大入賞口開放前処理やステップＳ１１７の大入賞口開放中処理を実行する部分など）と、前記可変表示の開始条件が成立したことに基づいて実行される可変表示の表示結果として前記特定表示結果を表示するか否かを当該表示結果が導出表示される以前に判定する事前判定手段（例えばＣＰＵ１０３がステップＳ１１１の大当り判定処理を実行する部分など）と、前記可変表示装置にて前記表示結果として表示する識別情報を決定する識別情報決定手段（例えばＣＰＵ１０３がステップＳ１１２の確定図柄決定処理を実行する部分など）と、前記事前判定手段により前記特定表示結果を表示する旨の判定がなされたとき（例えばＣＰＵ１０３がステップＳ２０３の処理にてＹｅｓと判定したとき）、前記識別情報決定手段により決定された識別情報に応じて、前記複数の可変入賞口のうちから、開放状態に制御する可変入賞口を一つ選択決定する可変入賞口選択決定手段（例えばＣＰＵ１０３がステップＳ２２４，Ｓ２２５，及びＳ２２６での処理を実行した後に、ステップＳ２３１，Ｓ２３２，及びＳ２３３の処理を実行する部分など）と、を含み、前記特定遊技状態制御手段は、前記可変入賞口選択決定手段により選択決定された可変入賞口を開放状態に制御する、ことを特徴とする。なお、開放状態に制御する可変入賞口を決定し、その後、該決定した可変入賞口に応じて、前記可変表示装置にて前記表示結果として表示する識別情報を決定してもよい。
【手続補正４】
【補正対象書類名】明細書
【補正対象項目名】０００９
【補正方法】変更
【補正の内容】
【０００９】
上記目的を達成するため、本願の請求項２に記載の遊技機は、可変表示の実行条件（例えば普通可変入賞球装置６への入賞によりステップＳ１００にてＹｅｓと判定されたこと）が成立した後に可変表示の開始条件（例えば可変表示装置４における前回の可変表示及び大当り遊技状態が終了したこと）が成立したことに基づいて、各々が識別可能な複数種類の識別情報（例えば特別図柄）を可変表示する可変表示装置（例えば可変表示装置４）と、開閉部材（例えば開閉部材３０ａ、３０ｂなど）により開閉される複数の可変入賞口（例えば第１種特別可変入賞球装置７、第２種特別可変入賞球装置５）と、前記可変入賞口への入賞に基づいて、遊技者に遊技価値を付与する価値付与手段（例えばＣＰＵ１０３がステップＳ３０の賞球処理を実行する部分、払出制御基板１５など）と、前記可変表示装置による識別情報の可変表示の表示結果が予め定めた特定表示結果（例えば表示図柄が同一図柄で揃った表示結果）となったときに、前記可変入賞口を開放状態に制御する特定遊技状態（例えば大当り遊技状態）を発生させる特定遊技状態制御手段（例えばＣＰＵ１０３がステップＳ１１６の大入賞口開放前処理やステップＳ１１７の大入賞口開放中処理を実行する部分など）と、前記可変表示の開始条件が成立したことに基づいて実行される可変表示の表示結果として前記特定表示結果を表示するか否かを当該表示結果が導出表示される以前に判定する事前判定手段（例えばＣＰＵ１０３がステップＳ１１１の大当り判定処理を実行する部分など）と、前記可変表示装置にて前記表示結果として表示する識別情報を決定する識別情報決定手段（例えばＣＰＵ１０３がステップＳ１１２の確定図柄決定処理を実行する部分など）と、前記事前判定手段により前記特定表示結果を表示する旨の判定がなされたとき（例えばＣＰＵ１０３がステップＳ２０３の処理にてＹｅｓと判定したとき）、前記識別情報決定手段により決定された識別情報に応じて、前記複数の可変入賞口それぞれでの開放回数を決定する可変入賞口開放回数決定手段（例えばＣＰＵ１０３がステップＳ２２４，Ｓ２２５，及びＳ２２６での処理を実行した後に、ステップＳ３３１，Ｓ３３２，及びＳ３３３の処理を実行する部分など）と、を含み、前記特定遊技状態制御手段は、前記可変入賞口開放回数決定手段により決定された開放回数だけ各可変入賞口を開放状態に制御する。なお、前記複数の可変入賞口それぞれでの開放回数を決定し、その後、該決定した各可変入賞口での開放回数に応じて、前記可変表示装置にて前記表示結果として表示する識別情報を決定してもよい。
【手続補正５】
【補正対象書類名】明細書
【補正対象項目名】００１２
【補正方法】変更
【補正の内容】
【００１２】
請求項５に記載の遊技機においては、前記特定遊技状態制御手段は、前記可変入賞口内に設けられた特定領域（例えばＶゾーン４５）を遊技球が通過（例えばＶ入賞）したとき、前記特定遊技状態を継続させる制御を行い、前記可変入賞口は、前記特定領域に遊技球を誘導可能な流下経路（流下経路３６ａ〜３６ｃ）を含み、前記流下経路は、前記可変入賞口毎にそれぞれ異なる経路構造を有する。